(57)【要約】      （修正有）【課題】電子機器において、電力消費をさらに低減する。【解決手段】電子機器１０は、イヤホン３２またはヘッドホンが接続されているかを検出する接続検出部、および、ユーザを撮像し、前記イヤホンまたはヘッドホンを装着しているかを検出する装着検出部を備える。また、前記イヤホンまたはヘッドホンが接続されている場合に、前記ユーザが前記イヤホンまたはヘッドホンを装着していると検出された場合は、第１のモードでオーディオを動作させ、前記ユーザが前記イヤホンまたはヘッドホンを装着していないと検出された場合は、前記第１のモードより省電力の第２のモードでオーディオを動作させるオーディオ動作部を備える。【選択図】図３
2014003501.tif 000002
【特許請求の範囲】
【請求項１】
イヤホンまたはヘッドホンが接続されているかを検出する接続検出部と、
ユーザを撮像し、前記イヤホンまたはヘッドホンを装着しているかを検出する装着検出部と、
前記イヤホンまたはヘッドホンが接続されている場合に、前記ユーザが前記イヤホンまたはヘッドホンを装着していると検出された場合は、第１のモードでオーディオを動作させ、前記ユーザが前記イヤホンまたはヘッドホンを装着していないと検出された場合は、前記第１のモードより省電力の第２のモードでオーディオを動作させるオーディオ動作部を備える電子機器。
【請求項２】
前記オーディオ動作部の動作を設定可能な設定部を備える請求項１に記載の電子機器。
【請求項３】
予め設定された時間毎に前記装着検出を行う請求項１または請求項２に記載の電子機器。
【請求項４】
予め設定された時間毎に前記接続検出および前記装着検出を行う請求項１または請求項２に記載の電子機器。
【請求項５】
前記第２のモードは、アプリケーションの停止を含む請求項１乃至請求項４のいずれか１に記載の電子機器。
【請求項６】
イヤホンまたはヘッドホンが接続されているかを検出するステップと、
ユーザを撮像し、前記イヤホンまたはヘッドホンを装着しているかを検出するステップと、
前記イヤホンまたはヘッドホンが接続されている場合に、前記ユーザが前記イヤホンまたはヘッドホンを装着していると検出された場合は、第１のモードでオーディオを動作させ、前記ユーザが前記イヤホンまたはヘッドホンを装着していないと検出された場合は、前記第１のモードより省電力の第２のモードでオーディオを動作させるステップを備える電子機器の制御方法。
【請求項７】
イヤホンまたはヘッドホンが接続されているかを検出するステップと、
ユーザを撮像し、前記イヤホンまたはヘッドホンを装着しているかを検出するステップと、
前記イヤホンまたはヘッドホンが接続されている場合に、前記ユーザが前記イヤホンまたはヘッドホンを装着していると検出された場合は、第１のモードでオーディオを動作させ、前記ユーザが前記イヤホンまたはヘッドホンを装着していないと検出された場合は、前記第１のモードより省電力の第２のモードでオーディオを動作させるステップを備え、電子機器を制御する電子機器の制御プログラム。
【発明の詳細な説明】
【技術分野】
【０００１】
本発明の実施形態は、電子機器、電子機器の制御方法、電子機器の制御プログラムに関する。
【背景技術】
【０００２】
近年、例えば、バッテリを備え、携帯可能な、スマートフォン、ＰＣ（パーソナルコンピュータ）、タブレットＰＣ等の電子機器が普及している。
【０００３】
これらの電子機器には、例えば、省電力を意識した製品もある。
【０００４】
しかし、バッテリの蓄電量には限度があるが、電子機器の高機能化に伴い、電子機器において消費される電力は増加する傾向がある。
【０００５】
このため、電子機器において、電力消費をさらに低減したいという課題があった。
【先行技術文献】
【特許文献】
【０００６】
【特許文献１】特開２００８−３０１０６８号公報
【特許文献２】特開２０００−１８２３１０号公報
【発明の概要】
【発明が解決しようとする課題】
【０００７】
電子機器において、電力消費をさらに低減したいという課題があった。
【課題を解決するための手段】
【０００８】
実施形態の電子機器は、イヤホンまたはヘッドホンが接続されているかを検出する接続検出部を備える。
【０００９】
また、ユーザを撮像し、前記イヤホンまたはヘッドホンを装着しているかを検出する装着検出部を備える。
【００１０】
また、前記イヤホンまたはヘッドホンが接続されている場合に、前記ユーザが前記イヤホンまたはヘッドホンを装着していると検出された場合は、第１のモードでオーディオを動作させ、前記ユーザが前記イヤホンまたはヘッドホンを装着していないと検出された場合は、前記第１のモードより省電力の第２のモードでオーディオを動作させるオーディオ動作部を備える。
【図面の簡単な説明】
【００１１】
【図１】実施形態に係わる電子機器の外観を示す図。
【図２】実施形態に係わる電子機器の構成を示すブロック図。
【図３】実施形態に係わる電子機器の動作のようすを説明する図。
【図４】実施形態に係わる電子機器の動作を説明するフローチャート。
【発明を実施するための形態】
【００１２】
以下、図面を参照し、実施の形態を説明する。
【００１３】
図１は、実施形態に係わる電子機器の外観を示す図である。
【００１４】
この実施形態に係る電子機器は、電子機器にイヤホンまたはヘッドホン（のオーディオ出力端子）が接続されている場合に、ユーザがイヤホンまたはヘッドホンを装着していると検出された場合は、第１のモードでオーディオを動作させる。
【００１５】
また、ユーザがイヤホンまたはヘッドホンを装着していないと検出された場合は、第１のモードより省電力の第２のモードでオーディオを動作させる。
【００１６】
ここでは、電子機器の一例として、例えばノートブックタイプのパーソナルコンピュータ（ノートＰＣ、またはＰＣ）１０を用い、説明を行う。
【００１７】
なお、この実施の形態はパーソナルコンピュータに限られず、ＴＶや携帯電話、スマートフォンやタブレットＰＣ等の携帯型の電子機器等に適用することも可能である。
【００１８】
図１に示すように、電子機器（ノートＰＣ）１０は、コンピュータ（ノートＰＣ）本体１１と、映像表示部１２とから構成されている。映像表示部１２には、例えば、ＬＣＤ（liquid crystal display）１７が組み込まれている。
【００１９】
映像表示部１２は、コンピュータ（ノートＰＣ）本体１１の上面が露出される開放位置とコンピュータ（ノートＰＣ）本体１１の上面を覆う閉塞位置との間を回動自在にコンピュータ（ノートＰＣ）本体１１に取り付けられている。
【００２０】
コンピュータ（ノートＰＣ）本体１１は、薄い箱形の筐体を有しており、その上面には、キーボード１３、電子機器（ノートＰＣ）１０を電源オン／電源オフするためのパワーボタン１４、タッチパッド１６、スピーカ１８Ａ，１８Ｂなどが配置されている。
【００２１】
また、コンピュータ（ノートＰＣ）本体１１の、例えば、右側面には、ＵＳＢ（universal serial bus）２．０規格のＵＳＢケーブルやＵＳＢデバイスを接続するためのＵＳＢコネクタ１９が設けられている。
【００２２】
さらに、コンピュータ（ノートＰＣ）本体１１の背面には、例えばＨＤＭＩ(high-definition multimedia interface)規格に対応した外部ディスプレイ接続端子が設けられている（図示せず）。この外部ディスプレイ接続端子は、デジタル映像信号を外部ディスプレイに出力するために用いられる。
【００２３】
また、図１に示すように、この実施形態に係る電子機器１０は、例えば、ＬＣＤ（Liquid Crystal Display）等で構成される映像表示部１７の近傍に、ユーザの撮像を行なうことが可能な撮像部（カメラ）２５が、例えば、映像表示部１７と一体に設けられている。
【００２４】
図２は、実施形態に係わる電子機器の構成を示すブロック図である。
【００２５】
電子機器（ＰＣ）１０は、図２に示すように、ＣＰＵ（central processing unit）１０１、ノースブリッジ１０２、主メモリ１０３、サウスブリッジ１０４、ＧＰＵ（Graphics Processing Unit）１０５、ＶＲＡＭ（ビデオＲＡＭ:random access memory）１０５Ａ、サウンドコントローラ１０６、ＢＩＯＳ−ＲＯＭ（basic input/output system-read only memory）１０７、ＬＡＮ（local area network）コントローラ１０８、ハードディスクドライブ（ＨＤＤ（記憶装置））１０９、光ディスクドライブ（ＯＤＤ）１１０、ＵＳＢコントローラ１１１Ａ、カードコントローラ１１１Ｂ、無線ＬＡＮコントローラ１１２、エンベデッドコントローラ／キーボードコントローラ（ＥＣ／ＫＢＣ）１１３、ＥＥＰＲＯＭ（electrically erasable programmable ROM）１１４等を備える。
【００２６】
ＣＰＵ１０１は、電子機器（ＰＣ）１０内の各部の動作を制御するプロセッサである。
【００２７】
ＣＰＵ１０１は、ＢＩＯＳ−ＲＯＭ１０７に格納されたＢＩＯＳを実行する。ＢＩＯＳは、ハードウェア制御のためのプログラムである。
【００２８】
ノースブリッジ１０２は、ＣＰＵ１０１のローカルバスとサウスブリッジ１０４との間を接続するブリッジデバイスである。ノースブリッジ１０２には、主メモリ１０３をアクセス制御するメモリコントローラも内蔵されている。また、ノースブリッジ１０２は、例えば、PCI EXPRESS規格のシリアルバスなどを介してＧＰＵ１０５との通信を実行する機能も有している。
【００２９】
ＧＰＵ１０５は、電子機器（ＰＣ）１０のディスプレイモニタとして使用されるＬＣＤ１７を制御する表示コントローラである。
【００３０】
このＧＰＵ１０５によって生成される表示信号はＬＣＤ１７に送られる。また、ＧＰＵ１０５は、ＨＤＭＩ制御回路３およびＨＤＭＩ端子２を介して、外部ディスプレイ１にデジタル映像信号を送出することもできる。
【００３１】
ＨＤＭＩ端子２は、前述の外部ディスプレイ接続端子である。ＨＤＭＩ端子２は、非圧縮のデジタル映像信号とデジタルオーディオ信号とを１本のケーブルでテレビのような外部ディスプレイ１に送出することができる。ＨＤＭＩ制御回路３は、ＨＤＭＩモニタと称される外部ディスプレイ１にデジタル映像信号を、ＨＤＭＩ端子２を介して送出するためのインタフェースである。
【００３２】
サウスブリッジ１０４は、ＰＣＩ（Peripheral Component Interconnect）バス上の各デバイス及びＬＰＣ（Low Pin Count）バス上の各デバイスを制御する。また、サウスブリッジ１０４は、ＨＤＤ１０９及びＯＤＤ１１０を制御するためのＩＤＥ（Integrated Drive Electronics）コントローラを内蔵している。
【００３３】
さらに、サウスブリッジ１０４は、サウンドコントローラ１０６との通信を実行する機能も有している。
【００３４】
サウンドコントローラ１０６は音源デバイスであり、再生対象のオーディオデータをスピーカ１８Ａ，１８ＢまたはＨＤＭＩ制御回路３に出力する。ＬＡＮコントローラ１０８は、例えばIEEE 802.3規格の有線通信を実行する有線通信デバイスであり、一方、無線ＬＡＮコントローラ１１２は、例えばIEEE 802.11g規格の無線通信を実行する無線通信デバイスである。ＵＳＢコントローラ１１１Ａは、（ＵＳＢコネクタ１９を介して接続される）例えばUSB 2.0規格に対応した外部機器との通信を実行する。
【００３５】
例えば、ＵＳＢコントローラ１１１Ａは、例えば、デジタルカメラに格納されている画像データファイルを受信するために使用される。カードコントローラ１１１Ｂは、コンピュータ（ノートＰＣ）本体１１に設けられたカードスロットに挿入される、ＳＤカードのようなメモリカードに対するデータの書き込み及び読み出しを実行する。
【００３６】
ＥＣ／ＫＢＣ１１３は、電力管理のためのエンベデッドコントローラと、キーボード１３及びタッチパッド１６を制御するためのキーボードコントローラとが集積された１チップマイクロコンピュータである。ＥＣ／ＫＢＣ（１１３）は、ユーザによるパワーボタン１４の操作に応じて電子機器（ＰＣ）１０を電源オン／電源オフする機能を有している。
【００３７】
また、上記のように、電子機器１０は、ユーザの撮像を行なうことが可能な撮像部（カメラ）２５を備えている。
【００３８】
この実施の形態における表示制御は、例えばＣＰＵ１０１が主メモリ１０３やＨＤＤ１０９等に記録されたプログラムを実行させることにより行われる。
【００３９】
図３は、実施形態に係わる電子機器の動作のようすを説明する図である。
【００４０】
この実施形態に係る電子機器１０は、例えば、オーディオ（audio）のアプリケーション（ソフト）実行時に、イヤホンジャック３１に、イヤホンまたはヘッドホン３２（のオーディオ出力端子）が挿入され、例えば、電気的に接続されているかを検出する（接続検出部）。
【００４１】
このイヤホンまたはヘッドホン３２（のオーディオ出力端子）の検出は、例えば、ＣＰＵ１０１により、実行される。
【００４２】
また、この実施形態に係る電子機器１０は、例えば、撮像部（カメラ）２５を用いてユーザを撮像し、この撮像画像から、ユーザがイヤホンまたはヘッドホン３２を装着しているかを検出する（装着検出部）。
【００４３】
ユーザがイヤホンまたはヘッドホン３２を装着しているかのこの撮像画像からの検出は、例えば、ＣＰＵ１０１により、実行される。
【００４４】
また、この実施形態に係る電子機器１０は、イヤホンまたはヘッドホン３２（のオーディオ出力端子）が接続されている場合に、ユーザが、イヤホンまたはヘッドホン３２を装着していると検出された場合は、通常のモード、すなわち、第１のモードでオーディオ（アプリケーション）を動作させる。
【００４５】
この通常のモード（第１のモード）とは、例えば、上記オーディオのアプリケーションソフトを起動させ、実行するモードである。
【００４６】
また、イヤホンまたはヘッドホン３２（のオーディオ出力端子）が接続されている場合に、ユーザがイヤホンまたはヘッドホン３２を装着していないと検出された場合は、上記第１のモードより省電力の第２のモードでオーディオ（アプリケーション）を動作させる（オーディオ動作部）。
【００４７】
この第１のモードより省電力の第２のモードとは、例えば、上記オーディオのアプリケーションソフトを停止させるモードである。
【００４８】
これにより、省電力を実現することが可能になる。
【００４９】
なお、省電力の実現は、この例に限られることはなく、例えば、イヤホンまたはヘッドホン３２が装着されていない場合には、音量を下げたり、再生動作を一時停止させたりする等の省電力制御を行っても良い。
【００５０】
これにより、不要な動作が抑制され、電力消費を低減することが可能となる。
【００５１】
図４は、実施形態に係わる電子機器の動作を説明するフローチャートである。
【００５２】
ステップ１００は、ここでの開始ステップである。続いて、ステップ１０１に進む。
【００５３】
ステップ１０１は、例えば、ユーザにより、オーディオ動作が指示されたかを判別するステップである。オーディオ動作が指示されたと判別される場合は、ステップ１０２に進む（Ｙｅｓ）。オーディオ動作が指示されたと判別されない場合は、ここでの処理を繰り返す（Ｎｏ）。
【００５４】
ステップ１０２は、特に図示しないが、例えば、予め、「オーディオ省電力モード」が設定されているかを判別するステップである。
【００５５】
「オーディオ省電力モード」とは、例えば、上記のように、ユーザが、イヤホンまたはヘッドホン３２を装着している場合は、通常のモード、すなわち、第１のモードでオーディオ（アプリケーション）を動作させ、ユーザがイヤホンまたはヘッドホン３２を装着していない場合は、上記第１のモードより省電力の第２のモードでオーディオ（アプリケーション）を動作させるモードである。
【００５６】
省電力の第２のモードは、例えば、オーディオのアプリケーションソフトを停止させ、これにより、省電力を実現する。
【００５７】
「オーディオ省電力モード」が設定されていると判別される場合は、ステップ１０３に進む（Ｙｅｓ）。「オーディオ省電力モード」が設定されていないと判別される場合は、ステップ１１０に進む（Ｎｏ）。
【００５８】
ステップ１０３は、イヤホン（ヘッドホン）端子（図示せず）が、イヤホンジャック３１に挿入され、電子機器１０とイヤホン（ヘッドホン）３２が、例えば、電気的に接続されているかを検出処理するステップである。続いて、ステップ１０４に進む。
【００５９】
ステップ１０４は、電子機器１０とイヤホン（ヘッドホン）３２が接続されているかを判別するステップである。電子機器１０とイヤホン（ヘッドホン）３２が接続されていると判別される場合は、ステップ１０５に進む（Ｙｅｓ）。電子機器１０とイヤホン（ヘッドホン）３２が接続されていないと判別される場合は、ここでの処理を繰り返す（Ｎｏ）。
【００６０】
ステップ１０５は、例えば、撮像部（カメラ）２５を用いてユーザを撮像し、ユーザが耳にイヤホン（ヘッドホン）３２を装着しているかを検出処理するステップである。続いて、ステップ１０６に進む。
【００６１】
ステップ１０６は、ユーザが耳にイヤホン（ヘッドホン）３２を装着しているかを判別するステップである。ユーザが耳にイヤホン（ヘッドホン）３２を装着していると判別される場合は、ステップ１０７に進む（Ｙｅｓ）。ユーザが耳にイヤホン（ヘッドホン）３２を装着していないと判別される場合は、ステップ１０８に進む（Ｎｏ）。
【００６２】
ステップ１０７は、「オーディオ省電力モード」を通常（第１の省電力モード）にするステップである。続いて、ステップ１０９に進む。
【００６３】
ステップ１０８は、「オーディオ省電力モード」を通常より省電力（第２の省電力モード）にするステップである。続いて、ステップ１０９に進む。
【００６４】
ここでは、「オーディオ省電力モード」とは、上記のように、ユーザが、イヤホンまたはヘッドホン３２を装着している場合は、通常のモード、すなわち、第１のモードでオーディオ（アプリケーション）を動作させ、ユーザがイヤホンまたはヘッドホン３２を装着していない場合は、上記第１のモードより省電力の第２のモードでオーディオ（アプリケーション）を動作させるモードである。
【００６５】
ステップ１０９は、予め設定された所定時間（例えば、１０秒間）が経過したかを判別するステップである。所定時間（例えば、１０秒間）が経過したと判別される場合は、ステップ１０３に進み、上記処理を繰り返す（Ｙｅｓ）。所定時間（例えば、１０秒間）が経過しないと判別される場合は、ここでの処理を繰り返す（Ｎｏ）。
【００６６】
すなわち、この実施形態において、例えば、電子機器（ＰＣ）１０のイヤホンジャック３１にイヤホンまたはヘッドホン３２（のオーディオ出力端子）が挿入される場合、電子機器１０にインストールされた監視プログラムは、電子機器（ＰＣ）１０の起動中、このイヤホンジャック３１へのイヤホンまたはヘッドホン３２（のオーディオ出力端子）の挿入を監視する。
【００６７】
また、例えば、ユーザがイヤホンまたはヘッドホン３２のオーディオ出力端子（図示せず）をイヤホンジャック３１に挿入した場合、上記監視プログラムはイヤホンまたはヘッドホン３２（のオーディオ出力端子）の挿入を検出する。
【００６８】
また、撮像部（カメラ）２５を用い、ユーザが耳にイヤホンまたはヘッドホン３２を装着しているかを、一定間毎に監視する。
【００６９】
そして、上記監視において、ユーザが耳にイヤホンまたはヘッドホン３２を装着していないことを認識した場合、「オーディオ省電力モード」を上記省電力状態（第２のモード）とする。
【００７０】
また、上記監視において、ユーザが耳にイヤホン(ヘッドホン)を装着していることを認識した場合、「オーディオ省電力モード」を通常状態（第１のモード）とする。
【００７１】
なお、上記撮像部（カメラ）２５を用いる、イヤホンまたはヘッドホン３２の装着の監視は、必ずしも常時行なう必要はなく、例えば、一定間隔毎（例えば１０秒毎）に行っても良い。また、ユーザにより、この設定を変更できるようにすることも可能である。
【００７２】
また、ユーザがイヤホンまたはヘッドホン３２（のオーディオ出力端子）をイヤホンジャック３１から抜いた場合、例えば、上記監視プログラムは、イヤホンまたはヘッドホン３２（のオーディオ出力端子）の取り外しを検出し、記撮像部（カメラ）２５を用いた、ユーザが耳にイヤホンまたはヘッドホン３２を装着しているかの監視を停止するように構成することも可能である。
【００７３】
このように構成することにより、よりきめ細かな省電力機能を提供することが可能になる。
【００７４】
上記のように、この実施形態においては、電子機器１０は、イヤホンまたはヘッドホン３２（のオーディオ出力端子）が接続されているかを検出する接続検出部（例えば、ＣＰＵ１０１等）を備える。
【００７５】
また、ユーザを撮像し、イヤホンまたはヘッドホン３２を装着しているかを検出する装着検出部（例えば、ＣＰＵ１０１等）を備える。
【００７６】
また、イヤホンまたはヘッドホン３２（のオーディオ出力端子）が接続されている場合に、ユーザがイヤホンまたはヘッドホン３２を装着していると検出された場合は、第１のモードでオーディオを動作させ、ユーザがイヤホンまたはヘッドホンを装着していないと検出された場合は、第１のモードより省電力の第２のモードでオーディオを動作させるオーディオ動作部（例えば、ＣＰＵ１０１等）を備える。
【００７７】
また、特に図示しないが、上記オーディオ動作部の動作を設定可能な設定部を備えるように構成することも可能である。
【００７８】
また、予め設定された時間毎に装着検出を行うように構成することも可能である。
【００７９】
また、予め設定された時間毎に接続検出および装着検出を行うように構成することも可能である。
【００８０】
また、第２のモードは、アプリケーションの停止を含むように構成することも可能である。
【００８１】
上記のように構成することによって、この実施の形態においては、電子機器において、電力消費をさらに低減することが可能になる。
【００８２】
なお、上記実施形態の制御処理の手順は全てソフトウェアによって実行することが可能である。このため、制御処理の手順を実行するプログラムを格納したコンピュータ読み取り可能な記憶媒体を通じてこのプログラムを通常のコンピュータにインストールして実行するだけで、上記実施形態と同様の効果を容易に実現することができる。
【００８３】
なお、上記実施形態は、記述そのものに限定されるものではなく、実施段階では、その趣旨を逸脱しない範囲で、構成要素を種々変形して具体化することが可能である。
【００８４】
また、上記実施形態に開示されている複数の構成要素の適宜な組み合せにより種々の発明を形成できる。
【００８５】
例えば、実施形態に示される全構成要素から幾つかの構成要素を削除してもよい。更に、異なる実施形態に亘る構成要素を適宜組み合せてもよい。
【符号の説明】
【００８６】
１０…電子機器（ＰＣ）、１７…映像表示部（ＬＣＤ）、２５…撮像部（カメラ）、３１…イヤホンジャック、３２…イヤホンまたはヘッドホン、１０１…ＣＰＵ。
【図１】
2014003501.tif 000003
【図２】
2014003501.tif 000004
【図３】
2014003501.tif 000005
【図４】
2014003501.tif 000006